(57)【要約】【課題】操作対象となる電子機器の仕様の変更による影響を受けることなく外部機器から電子機器を操作できるようにする。【解決手段】デジタルカメラ１は、操作画面（制御ＧＵＩ画面）の画面データをスマートフォン２に送信するとともに、スマートフォン２に表示された操作画面に対する操作態様を示す操作態様情報を受信し、受信された操作態様情報に基づいて、デジタルカメラ１への操作指示内容を特定し、操作指示内容に応じた制御を行う。【選択図】図５
2019114068.tif 000002
【特許請求の範囲】
【請求項１】
所定の動作を行う電子機器であって、
自己機器を制御する際に用いられる制御ＧＵＩ画面の画面データを外部機器に送信するとともに、前記外部機器に表示された前記制御ＧＵＩ画面に対する操作態様を示す操作態様情報を受信する通信部と、
前記通信部により受信された前記操作態様情報に基づいて、前記自己機器への操作指示内容を特定し、前記操作指示内容に応じた制御を行う制御部と、
を備える、
ことを特徴とする電子機器。
【請求項２】
前記制御部は、前記通信部により受信された前記操作態様情報と前記制御ＧＵＩ画面の各部に対応する操作指示領域とに基づいて、前記自己機器への前記操作指示内容を特定し、前記操作指示内容に応じた制御を行う、
ことを特徴とする請求項１に記載の電子機器。
【請求項３】
前記自己機器は、画像を表示する表示部を備えない、
ことを特徴とする請求項１又は２に記載の電子機器。
【請求項４】
前記制御ＧＵＩ画面を複数有し、
前記制御部は、特定された前記操作指示内容に応じて、前記制御ＧＵＩ画面とは異なる他の制御ＧＵＩ画面の画面データを前記外部機器に送信するように前記通信部を制御する、
ことを特徴とする請求項１乃至３の何れか１項に記載の電子機器。
【請求項５】
前記外部機器は、前記制御ＧＵＩ画面に対するタッチ操作を可能とするタッチパネルを有し、
前記通信部は、前記外部機器に表示された前記制御ＧＵＩ画面に対するタッチ操作態様を示す前記操作態様情報を受信する、
ことを特徴とする請求項１乃至４の何れか１項に記載の電子機器。
【請求項６】
前記操作態様情報は、前記自己機器に対する操作指示コマンドを含まない、
ことを特徴とする請求項１乃至５の何れか１項に記載の電子機器。
【請求項７】
前記制御ＧＵＩ画面の画面データを予め記憶する記憶部を更に備え、
前記通信部は、前記記憶部から読み出された前記制御ＧＵＩ画面の画面データを前記外部機器に送信する、
ことを特徴とする請求項１乃至６の何れか１項に記載の電子機器。
【請求項８】
画像を撮像する撮影部を更に備え、
前記制御部は、特定された前記操作指示内容に応じて、前記撮影部による画像の撮像及び撮像に関連する動作を制御する、
ことを特徴とする請求項１乃至７の何れか１項に記載の電子機器。
【請求項９】
前記撮影部により撮像された画像を外部表示機器に出力する出力部を更に備え、
前記制御部は、特定された前記操作指示内容に応じて、前記撮影部により撮像された画像に対して所定の処理を施し、前記所定の処理が施された画像を前記外部表示機器に出力するように前記出力部を制御する、
ことを特徴とする請求項８に記載の電子機器。
【請求項１０】
前記撮影部により撮像された複数の画像の画像データを記憶する記憶部を更に備え、
前記制御部は、特定された前記操作指示内容に応じて、前記外部表示機器に出力した画像とは別の画像の画像データを前記記憶部から読み出し、前記別の画像を前記外部表示機器に出力するように前記出力部を制御する、
ことを特徴とする請求項９に記載の電子機器。
【請求項１１】
所定の動作を行う電子機器の制御方法であって、
前記電子機器を制御する際に用いられる制御ＧＵＩ画面の画面データを外部機器に送信するとともに、前記外部機器に表示された前記制御ＧＵＩ画面に対する操作態様を示す操作態様情報を受信し、
受信された前記操作態様情報に基づいて、前記電子機器への操作指示内容を特定し、前記操作指示内容に応じた制御を行う、
ことを含む、
ことを特徴とする電子機器の制御方法。
【請求項１２】
所定の動作を行う電子機器のコンピュータに、
前記電子機器を制御する際に用いられる制御ＧＵＩ画面の画面データを外部機器に送信するとともに、前記外部機器に表示された前記制御ＧＵＩ画面に対する操作態様を示す操作態様情報を受信する通信機能、
前記通信機能により受信された前記操作態様情報に基づいて、前記電子機器への操作指示内容を特定し、前記操作指示内容に応じた制御を行う制御機能、
を実行させる、
ことを特徴とするプログラム。
【請求項１３】
所定の動作を行う電子機器と、前記電子機器を制御する外部機器と、を備える電子機器制御システムであって、
前記電子機器は、
前記電子機器を制御する際に用いられる制御ＧＵＩ画面の画面データを前記外部機器に送信する電子機器側通信部を有し、
前記外部機器は、
前記電子機器より送信された前記制御ＧＵＩ画面の画面データを受信するとともに、前記外部機器に表示された前記制御ＧＵＩ画面に対する操作態様を示す操作態様情報を前記電子機器に送信する外部機器側通信部を有し、
前記電子機器側通信部は、前記外部機器に表示された前記制御ＧＵＩ画面に対する前記操作態様を示す前記操作態様情報を受信し、
前記電子機器は、
前記電子機器側通信部により受信された前記操作態様情報に基づいて、前記電子機器への操作指示内容を特定し、前記操作指示内容に応じた制御を行う制御部を更に有する、
ことを特徴とする電子機器制御システム。
【請求項１４】
画像を表示する表示部と、
電子機器より送信された制御ＧＵＩ画面の画面データを受信するとともに、前記表示部に表示された前記制御ＧＵＩ画面に対する操作態様を示す操作態様情報を前記電子機器に送信する外部機器側通信部と、
を備える、
ことを特徴とする外部機器。
【請求項１５】
前記操作態様情報は、前記電子機器に対する操作指示コマンドを含まない、
ことを特徴とする請求項１４に記載の外部機器。
【発明の詳細な説明】
【技術分野】
【０００１】
本発明は、電子機器、電子機器の制御方法、プログラム、電子機器制御システム及び外部機器に関する。
【背景技術】
【０００２】
従来、ネットワークに接続された複数のオーディオ機器やビデオ機器（以下、ＡＶ機器と称す）のリストを表示画面に表示させ、ユーザの所望のＡＶ機器を選択させ、このＡＶ機器に操作情報を送信する通信制御方法が知られている（例えば、特許文献１参照）。
【先行技術文献】
【特許文献】
【０００３】
【特許文献１】特開２００５−１６７３８７号公報
【発明の概要】
【発明が解決しようとする課題】
【０００４】
しかしながら、前記特許文献１に開示されている通信制御方法では、操作対象となるＡＶ機器の仕様が変わるたびにＡＶ機器に対応した制御コマンド等を用意しなければならないため、制御コマンドを送信する側の外部機器はソフトウエア等を変更しなければならないという問題がある。
【０００５】
本発明は、このような問題に鑑みてなされたものであり、操作対象となる電子機器の仕様の変更による影響を受けることなく外部機器から電子機器を操作できるようにすることを目的とする。
【課題を解決するための手段】
【０００６】
前記課題を解決するため、本発明に係る電子機器の一態様は、
所定の動作を行う電子機器であって、
自己機器を制御する際に用いられる制御ＧＵＩ画面の画面データを外部機器に送信するとともに、前記外部機器に表示された前記制御ＧＵＩ画面に対する操作態様を示す操作態様情報を受信する通信部と、
前記通信部により受信された前記操作態様情報に基づいて、前記自己機器への操作指示内容を特定し、前記操作指示内容に応じた制御を行う制御部と、
を備える、
ことを特徴とする。
【０００７】
また、前記課題を解決するため、本発明に係る電子機器の制御方法の一態様は、
所定の動作を行う電子機器の制御方法であって、
前記電子機器を制御する際に用いられる制御ＧＵＩ画面の画面データを外部機器に送信するとともに、前記外部機器に表示された前記制御ＧＵＩ画面に対する操作態様を示す操作態様情報を受信し、
受信された前記操作態様情報に基づいて、前記電子機器への操作指示内容を特定し、前記操作指示内容に応じた制御を行う、
ことを含む、
ことを特徴とする。
【０００８】
また、前記課題を解決するため、本発明に係るプログラムの一態様は、
所定の動作を行う電子機器のコンピュータに、
前記電子機器を制御する際に用いられる制御ＧＵＩ画面の画面データを外部機器に送信するとともに、前記外部機器に表示された前記制御ＧＵＩ画面に対する操作態様を示す操作態様情報を受信する通信機能、
前記通信機能により受信された前記操作態様情報に基づいて、前記電子機器への操作指示内容を特定し、前記操作指示内容に応じた制御を行う制御機能、
を実行させる、
ことを特徴とする。
【０００９】
また、前記課題を解決するため、本発明に係る電子機器制御システムの一態様は、
所定の動作を行う電子機器と、前記電子機器を制御する外部機器と、を備える電子機器制御システムであって、
前記電子機器は、
前記電子機器を制御する際に用いられる制御ＧＵＩ画面の画面データを前記外部機器に送信する電子機器側通信部を有し、
前記外部機器は、
前記電子機器より送信された前記制御ＧＵＩ画面の画面データを受信するとともに、前記外部機器に表示された前記制御ＧＵＩ画面に対する操作態様を示す操作態様情報を前記電子機器に送信する外部機器側通信部を有し、
前記電子機器側通信部は、前記外部機器に表示された前記制御ＧＵＩ画面に対する前記操作態様を示す前記操作態様情報を受信し、
前記電子機器は、
前記電子機器側通信部により受信された前記操作態様情報に基づいて、前記電子機器への操作指示内容を特定し、前記操作指示内容に応じた制御を行う制御部を更に有する、
ことを特徴とする。
【００１０】
また、前記課題を解決するため、本発明に係る外部機器の一態様は、
画像を表示する表示部と、
電子機器より送信された制御ＧＵＩ画面の画面データを受信するとともに、前記表示部に表示された前記制御ＧＵＩ画面に対する操作態様を示す操作態様情報を前記電子機器に送信する外部機器側通信部と、
を備える、
ことを特徴とする。
【発明の効果】
【００１１】
本発明によれば、操作対象となる電子機器の仕様の変更による影響を受けることなく外部機器から電子機器を操作することができる。
【図面の簡単な説明】
【００１２】
【図１】本発明の実施形態におけるデジタルカメラ制御システムの全体構成を示す図である。
【図２】デジタルカメラの機能的構成を示すブロック図である。
【図３】スマートフォンの機能的構成を示すブロック図である。
【図４】デジタルカメラとスマートフォンとの間で行われるデータ通信の一例を示す図である。
【図５】デジタルカメラ制御システムにより実行される動作制御処理を示すフローチャートである。
【図６】デジタルカメラとスマートフォンとの間で行われるデータ通信の一例を示す図である。
【発明を実施するための形態】
【００１３】
以下に、本発明について、図面を用いて具体的な態様を説明する。ただし、発明の範囲は、図示例に限定されない。
【００１４】
［デジタルカメラ制御システム１００の構成］
図１は、本発明の実施形態におけるデジタルカメラ制御システム（電子機器制御システム）１００の全体構成を示す図である。
図１に示すように、デジタルカメラ制御システム１００は、デジタルカメラ（電子機器）１と、スマートフォン（外部機器）２とを備えて構成されている。
【００１５】
［デジタルカメラ１の構成］
図２は、デジタルカメラ１の機能的構成を示すブロック図である。
図２に示すように、デジタルカメラ１は、ＣＰＵ（Central Processing Unit）１１、撮影部１２、通信部（電子機器側通信部）１３、画像出力部１４、記憶部１５等を備えて構成されている。ＣＰＵ１１と各部はバスにより接続されている。
【００１６】
ＣＰＵ（制御部）１１は、記憶部１５に記憶されている各種のプログラムを実行して所定の演算や各部の制御を行う。
【００１７】
撮影部１２は、図示は省略するが、光学系及び撮像素子を備えるカメラと、カメラを制御する撮像制御部とを備えている。撮像素子は、例えば、ＣＣＤ（Charge Coupled Device）やＣＭＯＳ（Complementary Metal-oxide Semiconductor）等のイメージセンサである。そして、撮像素子は、光学系を通過した光学像を２次元の画像信号に変換する。
【００１８】
通信部１３は、有線又は無線によりスマートフォン２に接続し、スマートフォン２とのデータ送受信を行う。
【００１９】
画像出力部１４は、撮影部１２で撮影された画像を出力するためのインターフェースである。
【００２０】
記憶部１５は、例えばＨＤＤ（Hard Disk Drive）や半導体の不揮発性メモリ等で構成されている。記憶部１５には、各種プログラムやプログラムの実行に必要なデータが記憶されている。また、記憶部１５には、デジタルカメラ１を操作する際に用いられる複数の操作画面（制御ＧＵＩ画面）（例えば、撮影部１２による撮像を指示する操作画面や撮像に関連する設定操作画面など）の各画面データが記憶されている。また、記憶部１５は、撮影部１２で撮影された画像を記憶可能に構成されている。
【００２１】
［スマートフォン２の構成］
図３は、スマートフォン２の機能的構成を示すブロック図である。
図３に示すように、スマートフォン２は、ＣＰＵ２１、操作部２２、表示部２３、通信部（外部機器側通信部）２４、記憶部２５等を備えて構成されている。ＣＰＵ２１と各部はバスにより接続されている。
【００２２】
ＣＰＵ２１は、記憶部２５に記憶されている各種のプログラムを実行して所定の演算や各部の制御を行う。
【００２３】
操作部２２は、各種機能キーを備え、ユーザによる各機能キーの押下入力を受け付けてその操作情報をＣＰＵ２１に出力する。また、操作部２２は、表示部２３の表面を覆うように透明電極を格子状に配置したタッチパネル２２ａを有し、手指やタッチペン等で押下された位置を検出し、その位置情報を操作情報としてＣＰＵ２１に出力する。
【００２４】
表示部２３は、ＬＣＤ等により構成されている。表示部２３には、ＣＰＵ２１から入力される表示信号の指示に従って、各種画面を表示する。
【００２５】
通信部２４は、有線又は無線によりデジタルカメラ１に接続し、デジタルカメラ１とのデータ送受信を行う。
【００２６】
記憶部２５は、例えばＨＤＤや半導体の不揮発性メモリ等で構成されている。記憶部２５には、各種プログラムやプログラムの実行に必要なデータが記憶されている。
【００２７】
［デジタルカメラ制御システム１００の動作］
図４は、デジタルカメラ１とスマートフォン２との間で行われるデータ通信の一例を示す図である。
図４に示すように、本実施形態のデジタルカメラ制御システム１００では、デジタルカメラ１を操作する際に用いられる操作画面の画面データ（例えば、トップメニュー画面Ｇ１の画面データＧＤ１やサブ画面Ｇ２の画面データＧＤ２等）をデジタルカメラ１からスマートフォン２へ適宜送信し、スマートフォン２は、受信した画面データに基づいて操作画面を表示部２３に表示する。そして、ユーザによるタッチパネル２２ａへのタッチ操作が受け付けられた場合、スマートフォン２は、このタッチ操作に係る操作態様情報（例えば、タッチ位置やタッチ方法を示す情報）をデジタルカメラ１へ送信する。これにより、デジタルカメラ１は、受信した操作態様情報と操作画面の画面データとから操作指示内容を特定し、操作指示内容に基づいて所定の動作を行うことができる。以下、デジタルカメラ制御システム１００の動作について説明する。
【００２８】
図５は、デジタルカメラ制御システム１００により実行される動作制御処理を示すフローチャートである。動作制御処理のうちのデジタルカメラ１側の処理は、ＣＰＵ１１と記憶部１５に記憶されているプログラムとの協働により実行される。また、動作制御処理のうちのスマートフォン２側の処理は、ＣＰＵ２１と記憶部２５に記憶されているプログラムとの協働により実行される。なお、デジタルカメラ１とスマートフォン２とは互いに通信可能な状態にあるものとして説明する。
【００２９】
まず、デジタルカメラ１のＣＰＵ１１は、デジタルカメラ１を操作する際のトップメニュー画面Ｇ１の画面データ（画面イメージ又は描画データ）ＧＤ１（図４参照）を、通信部１３を介してスマートフォン２へ送信する（ステップＳ１）。そして、デジタルカメラ１のＣＰＵ１１は、スマートフォン２から操作態様情報を受信するまで待機する（ステップＳ２）。
【００３０】
一方、デジタルカメラ１より画面データＧＤ１が送信されると、スマートフォン２のＣＰＵ２１は、通信部２４を介して画面データＧＤ１を受信する（ステップＳ１１）。そして、スマートフォン２のＣＰＵ２１は、受信した画面データＧＤ１に基づいて、トップメニュー画面Ｇ１を表示部２３に表示させる（ステップＳ１２；図４参照）。
【００３１】
次いで、スマートフォン２のＣＰＵ２１は、タッチパネル２２ａへのタッチ操作がなされたか否かを判定する（ステップＳ１３）。
【００３２】
ステップＳ１３において、タッチパネル２２ａへのタッチ操作がなされていないと判定された場合（ステップＳ１３；ＮＯ）、スマートフォン２のＣＰＵ２１は、ステップＳ１３の判定処理を繰り返し行う。
一方、ステップＳ１３において、タッチパネル２２ａへのタッチ操作がなされたと判定された場合（ステップＳ１３；ＹＥＳ）、スマートフォン２のＣＰＵ２１は、このタッチ操作に係る操作態様情報を、通信部２４を介してデジタルカメラ１へ送信する（ステップＳ１４）。ここで、操作態様情報には、タッチパネル２２ａに対するタッチ操作がなされた位置を示す位置情報や、タッチ操作方法（例えば、タップ、ダブルタップ、長押し、スライド、フリック、ピンチなど）を示す方法情報が含まれている。
【００３３】
次いで、スマートフォン２のＣＰＵ２１は、他の操作画面の画面データ（例えば、サブ画面Ｇ２の画面データＧＤ２）がデジタルカメラ１より送信されてきているか否かを判定する（ステップＳ１５）。
【００３４】
ステップＳ１５において、他の操作画面の画面データがデジタルカメラ１より送信されてきていないと判定された場合（ステップＳ１５；ＮＯ）、スマートフォン２のＣＰＵ２１は、処理をステップＳ１３へ戻し、ステップＳ１３の判定処理を繰り返し行う。
一方、ステップＳ１５において、他の操作画面の画面データがデジタルカメラ１より送信されてきていると判定された場合（ステップＳ１５；ＹＥＳ）、スマートフォン２のＣＰＵ２１は、処理をステップＳ１１へ戻し、ステップＳ１１以降の処理を繰り返し行う。なお、スマートフォン２のＣＰＵ２１は、スマートフォン２の電源がＯＮである間、ステップＳ１１〜ステップＳ１５の処理を繰り返し行う。
【００３５】
デジタルカメラ１側の処理に戻り、スマートフォン２より操作態様情報が送信されると、デジタルカメラ１のＣＰＵ１１は、通信部１３を介して操作態様情報を受信する（ステップＳ３）。そして、デジタルカメラ１のＣＰＵ１１は、受信した操作態様情報と、スマートフォン２へ送信した操作画面の画面データと、に基づいて、操作指示内容を特定する（ステップＳ４）。具体的には、例えば、スマートフォン２へ送信した操作画面の画面データがトップメニュー画面Ｇ１の画面データＧＤ１であり、スマートフォン２より操作態様情報としてトップメニュー画面Ｇ１に表示される「プレミアムオートＰＲＯ」の領域内に含まれる位置情報とタップ操作とを示す方法情報とが受信された場合、デジタルカメラ１のＣＰＵ１１は、操作指示内容が「プレミアムオートＰＲＯ」機能の起動であることを特定する。
【００３６】
次いで、デジタルカメラ１のＣＰＵ１１は、特定された操作指示内容が他の操作画面（例えば、サブ画面Ｇ２）への遷移であるか否かを判定する（ステップＳ５）。
【００３７】
ステップＳ５において、特定された操作指示内容が他の操作画面への遷移であると判定された場合（ステップＳ５；ＹＥＳ）、デジタルカメラ１のＣＰＵ１１は、他の操作画面の画面データ（例えば、サブ画面Ｇ２の画面データＧＤ２）を、通信部１３を介してスマートフォン２へ送信し（ステップＳ１）、それ以降の処理を繰り返し行う。
一方、ステップＳ５において、特定された操作指示内容が他の操作画面への遷移でないと判定された場合（ステップＳ５；ＮＯ）、デジタルカメラ１のＣＰＵ１１は、特定された操作指示内容に応じた動作制御を行い（ステップＳ６）、処理をステップＳ２へ戻す。なお、デジタルカメラ１のＣＰＵ１１は、デジタルカメラ１の電源がＯＮである間、ステップＳ１〜ステップＳ６の処理を繰り返し行う。
【００３８】
以上説明したように、デジタルカメラ制御システム１００によれば、デジタルカメラ１は、操作画面（制御ＧＵＩ画面）の画面データをスマートフォン２に送信するとともに、スマートフォン２に表示された操作画面に対する操作態様を示す操作態様情報を受信し、受信した操作態様情報と、スマートフォン２へ送信した操作画面の画面データとに基づいて、デジタルカメラ１への操作指示内容を特定し、操作指示内容に応じた制御を行う。
このため、スマートフォン２はデジタルカメラ１へ操作態様情報を送信するだけなので、デジタルカメラ１の仕様の変更による影響を受けることなくスマートフォン２からデジタルカメラ１を操作できる。
【００３９】
また、デジタルカメラ制御システム１００によれば、デジタルカメラ１は、スマートフォン２を介した操作を行うことによって、操作内容を確認することができるので、デジタルカメラ１の誤操作を抑制することができる。
【００４０】
また、デジタルカメラ制御システム１００によれば、デジタルカメラ１は、操作画面を複数備え、特定された操作指示内容に応じて、他の操作画面の画面データをスマートフォン２に送信するので、デジタルカメラ１に対して多岐にわたる操作を行うことができる。
【００４１】
また、デジタルカメラ制御システム１００によれば、スマートフォン２は、操作画面に対するタッチ操作を可能とするタッチパネル２２ａを備えており、デジタルカメラ１は、スマートフォン２に表示された操作画面に対するタッチ操作態様を示す操作態様情報を受信する。
したがって、スマートフォン２に対するタッチ操作によってデジタルカメラ１を操作することができるので、スマートフォン２からデジタルカメラ１をより容易に操作できる。
【００４２】
また、デジタルカメラ制御システム１００によれば、操作態様情報は、デジタルカメラ１に対する操作指示コマンドを含まない。つまり、デジタルカメラ１の仕様が変更された場合であっても、スマートフォン２に新たな操作指示コマンドを追加しなくてもスマートフォン２によるデジタルカメラ１の操作を好適に行うことができる。
したがって、デジタルカメラ１の仕様の変更による影響を受けることなくスマートフォン２からデジタルカメラ１を操作できる。
【００４３】
また、デジタルカメラ制御システム１００によれば、デジタルカメラ１は、記憶部１５を更に備え、記憶部１５に操作画面の画面データを予め記憶し、記憶部１５から読み出された画面データをスマートフォン２に送信するので、デジタルカメラ１からスマートフォン２へ画面データをスムーズに送信することができ、スマートフォン２によるデジタルカメラ１の操作性を向上させることができる。
【００４４】
なお、前記実施形態における記述内容は、本発明に係る電子機器制御システムの好適な一例であり、これに限定されるものではない。
【００４５】
例えば、図６に示すように、デジタルカメラ１の画像出力部１４を介して、デジタルカメラ１と、外部表示機器としてのテレビジョン受像機（以下、テレビと称す）３とを接続し、デジタルカメラ１で撮影された画像Ｐ等をテレビ３に表示可能な環境において、デジタルカメラ１を操作する際に用いられる操作画面Ｇ３の画面データＧＤ３をデジタルカメラ１からスマートフォン２へ送信し、スマートフォン２は、受信した画面データＧＤ３に基づいて操作画面Ｇ３を表示部２３に表示する。そして、ユーザによるタッチパネル２２ａへのタッチ操作としてスライド操作又はフリック操作がなされた場合、スマートフォン２は、このタッチ操作に係る操作態様情報をデジタルカメラ１へ送信し、デジタルカメラ１は、受信した操作態様情報と操作画面Ｇ３の画面データＧＤ３とから操作指示内容がページ送り操作であることを特定し、操作指示内容に基づいて次のページの画像（図示省略）をテレビ３に表示させるようにしても良い。また、ユーザによるタッチパネル２２ａへのタッチ操作としてピンチアウト操作又はピンチイン操作がなされた場合、スマートフォン２は、このタッチ操作に係る操作態様情報をデジタルカメラ１へ送信し、デジタルカメラ１は、受信した操作態様情報と操作画面Ｇ３の画面データＧＤ３とから操作指示内容が画像の拡大操作又は縮小操作であることを特定し、操作指示内容に基づいて画像Ｐを拡大表示又は縮小表示させるようにしても良い。
【００４６】
また、前記実施形態では、電子機器の例示としてデジタルカメラ１を、外部機器の例示としてスマートフォン２を挙げたが、互いにデータ通信可能な機器であれば、これらの機器に限られない。また、前記実施形態では、デジタルカメラ１は、表示部を備えない構成としたが表示部を備える構成としても良い。
【００４７】
また、前記実施形態では、操作態様情報はタッチパネル２２ａに対するタッチ位置を示す位置情報やタッチ操作方法を示す方法情報であるものとして説明を行ったが、外部機器がポインティングデバイス（例えば、マウスなど）を備えるＰＣ等の場合、操作態様情報はポインティングデバイスによる指示位置を示す位置情報や、ポインティングデバイスの操作方法（例えば、クリック、ダブルクリックなど）を示す方法情報であるものとしても良い。
【００４８】
本発明の実施形態を説明したが、本発明の範囲は、前述の実施形態に限定するものではなく、特許請求の範囲に記載された発明の範囲とその均等の範囲とを含む。
以下に、この出願の願書に最初に添付した特許請求の範囲に記載した発明を付記する。付記に記載した番号は、この出願の願書に最初に添付した特許請求の範囲の通りである。
〔付記〕
＜付記１＞
所定の動作を行う電子機器であって、
自己機器を制御する際に用いられる制御ＧＵＩ画面の画面データを外部機器に送信するとともに、前記外部機器に表示された前記制御ＧＵＩ画面に対する操作態様を示す操作態様情報を受信する通信部と、
前記通信部により受信された前記操作態様情報に基づいて、前記自己機器への操作指示内容を特定し、前記操作指示内容に応じた制御を行う制御部と、
を備える、
ことを特徴とする電子機器。
＜付記２＞
前記制御部は、前記通信部により受信された前記操作態様情報と前記制御ＧＵＩ画面の各部に対応する操作指示領域とに基づいて、前記本体機器への前記操作指示内容を特定し、前記操作指示内容に応じた制御を行う、
ことを特徴とする付記１に記載の電子機器。
＜付記３＞
前記自己機器は、画像を表示する表示部を備えない、
ことを特徴とする付記１又は２に記載の電子機器。
＜付記４＞
前記制御ＧＵＩ画面を複数有し、
前記制御部は、特定された前記操作指示内容に応じて、前記制御ＧＵＩ画面とは異なる他の制御ＧＵＩ画面の画面データを前記外部機器に送信するように前記通信部を制御する、
ことを特徴とする付記１乃至３の何れか１つに記載の電子機器。
＜付記５＞
前記外部機器は、前記制御ＧＵＩ画面に対するタッチ操作を可能とするタッチパネルを有し、
前記通信部は、前記外部機器に表示された前記制御ＧＵＩ画面に対するタッチ操作態様を示す前記操作態様情報を受信する、
ことを特徴とする付記１乃至４の何れか１つに記載の電子機器。
＜付記６＞
前記操作態様情報は、前記自己機器に対する操作指示コマンドを含まない、
ことを特徴とする付記１乃至５の何れか１つに記載の電子機器。
＜付記７＞
前記制御ＧＵＩ画面の画面データを予め記憶する記憶部を更に備え、
前記通信部は、前記記憶部から読み出された前記制御ＧＵＩ画面の画面データを前記外部機器に送信する、
ことを特徴とする付記１乃至６の何れか１つに記載の電子機器。
＜付記８＞
画像を撮像する撮影部を更に備え、
前記制御部は、特定された前記操作指示内容に応じて、前記撮影部による画像の撮像及び撮像に関連する動作を制御する、
ことを特徴とする請求項１乃至７の何れか１つに記載の電子機器。
＜付記９＞
前記撮影部により撮像された画像を外部表示機器に出力する出力部を更に備え、
前記制御部は、特定された前記操作指示内容に応じて、前記撮影部により撮像された画像に対して所定の処理を施し、前記所定の処理が施された画像を前記外部表示機器に出力するように前記出力部を制御する、
ことを特徴とする付記８に記載の電子機器。
＜付記１０＞
前記撮影部により撮像された複数の画像の画像データを記憶する記憶部を更に備え、
前記制御部は、特定された前記操作指示内容に応じて、前記外部表示機器に出力した画像とは別の画像の画像データを前記記憶部から読み出し、前記別の画像を前記外部表示機器に出力するように前記出力部を制御する、
ことを特徴とする付記９に記載の電子機器。
＜付記１１＞
所定の動作を行う電子機器の制御方法であって、
前記電子機器を制御する際に用いられる制御ＧＵＩ画面の画面データを外部機器に送信するとともに、前記外部機器に表示された前記制御ＧＵＩ画面に対する操作態様を示す操作態様情報を受信し、
受信された前記操作態様情報に基づいて、前記電子機器への操作指示内容を特定し、前記操作指示内容に応じた制御を行う、
ことを含む、
ことを特徴とする電子機器の制御方法。
＜付記１２＞
所定の動作を行う電子機器のコンピュータに、
前記電子機器を制御する際に用いられる制御ＧＵＩ画面の画面データを外部機器に送信するとともに、前記外部機器に表示された前記制御ＧＵＩ画面に対する操作態様を示す操作態様情報を受信する通信機能、
前記通信機能により受信された前記操作態様情報に基づいて、前記電子機器への操作指示内容を特定し、前記操作指示内容に応じた制御を行う制御機能、
を実行させる、
ことを特徴とするプログラム。
＜付記１３＞
所定の動作を行う電子機器と、前記電子機器を制御する外部機器と、を備える電子機器制御システムであって、
前記電子機器は、
前記電子機器を制御する際に用いられる制御ＧＵＩ画面の画面データを前記外部機器に送信する電子機器側通信部を有し、
前記外部機器は、
前記電子機器より送信された前記制御ＧＵＩ画面の画面データを受信するとともに、前記外部機器に表示された前記制御ＧＵＩ画面に対する操作態様を示す操作態様情報を前記電子機器に送信する外部機器側通信部を有し、
前記電子機器側通信部は、前記外部機器に表示された前記制御ＧＵＩ画面に対する前記操作態様を示す前記操作態様情報を受信し、
前記電子機器は、
前記電子機器側通信部により受信された前記操作態様情報に基づいて、前記電子機器への操作指示内容を特定し、前記操作指示内容に応じた制御を行う制御部を更に有する、
ことを特徴とする電子機器制御システム。
＜付記１４＞
画像を表示する表示部と、
電子機器より送信された制御ＧＵＩ画面の画面データを受信するとともに、前記表示部に表示された前記制御ＧＵＩ画面に対する操作態様を示す操作態様情報を前記電子機器に送信する外部機器側通信部と、
を備える、
ことを特徴とする外部機器。
＜付記１５＞
前記操作態様情報は、前記電子機器に対する操作指示コマンドを含まない、
ことを特徴とする付記１４に記載の外部機器。
【符号の説明】
【００４９】
１００  デジタルカメラ制御システム
１  デジタルカメラ
１１  ＣＰＵ
１２  撮影部
１３  通信部
１４  画像出力部
１５  記憶部
２  スマートフォン
２１  ＣＰＵ
２２  操作部
２２ａ  タッチパネル
２３  表示部
２４  通信部
２５  記憶部
【図１】
2019114068.tif 000003
【図２】
2019114068.tif 000004
【図３】
2019114068.tif 000005
【図４】
2019114068.tif 000006
【図５】
2019114068.tif 000007
【図６】
2019114068.tif 000008